(57)【要約】【課題】原稿を繰り返しコピーしても画像劣化のない高品質なコピー画像を得ることができる画像入出力装置等を提供する。【解決手段】原稿から読み取った画像データを入力する画像入力手段と、画像データを出力する画像出力手段と、外部操作によって設定された画像入出力動作に関する設定情報に応じて画像入出力動作の制御を行う制御手段と、前記画像入力手段によって入力された読み取り画像データから所定の属性情報を抽出する属性情報抽出手段とを有し、前記読み取り画像データから所定の属性情報が抽出された場合と抽出されない場合とに応じて、前記制御手段によって異なる制御を行う。【選択図】        図１
2004153567.tif 000002
【特許請求の範囲】
【請求項１】
原稿から読み取った画像データを入力する画像入力手段と、
画像データを出力する画像出力手段と、
外部操作によって設定された画像入出力動作に関する設定情報に応じて画像入出力動作の制御を行う制御手段と、
前記画像入力手段によって入力された読み取り画像データから所定の属性情報を抽出する属性情報抽出手段とを有し、
前記読み取り画像データから所定の属性情報が抽出された場合と抽出されない場合とに応じて、前記制御手段によって異なる制御を行うことを特徴とする画像入出力装置。
【請求項２】
前記属性情報抽出手段による前記所定の属性情報の抽出は、原稿に付加されたバーコードを読み取ることによって行うこと特徴とする請求項１記載の画像入出力装置。
【請求項３】
前記属性情報抽出手段による前記所定の属性情報の抽出は、原稿に印字されたＵＲＬ情報を読み取ることによって行うこと特徴とする請求項１記載の画像入出力装置。
【請求項４】
前記属性情報抽出手段による前記所定の属性情報の抽出によって、前記読み取り画像データに対応したオリジナル画像の保管場所を検知した場合は、前記保管場所から前記オリジナル画像を取り出して前記画像出力手段により出力すること特徴とする請求項２又は３記載の画像入出力装置。
【請求項５】
画像データに所定の属性情報を付加する情報付加手段と、
原稿から読み取った画像データを入力する画像入力手段と、
外部操作によって画像入出力動作に関する設定を行うための操作手段と、
前記情報付加手段によって前記属性情報が付加された画像データを含む入力画像データの印字出力を行う画像出力手段と、
少なくとも前記操作手段による設定に応じて画像入出力動作の制御を行う制御手段とを有し、
前記画像出力手段から印字出力される前記属性情報の出力位置を前記操作手段で設定可能にしたことを特徴とする画像入出力システム。
【請求項６】
前記属性情報の出力位置は、前記画像入力手段から入力される画像データに対応したオリジナル画像データとは別のページであること特徴とする請求項５に記載の画像入出力システム。
【請求項７】
前記属性情報の出力位置は、前記画像入力手段から入力される画像データに対応したオリジナル画像データの裏面であること特徴とする請求項５に記載の画像入出力システム。
【請求項８】
画像データに属性情報を付加する情報付加手段と、
原稿から読み取った画像データを入力する画像入力手段と、
外部操作によって画像入出力動作に関する設定を行うための操作手段と、
前記情報付加手段によって前記属性情報が付加された画像データを含む入力画像データの印字出力を行う画像出力手段と、
少なくとも前記操作手段による設定に応じて画像入出力動作の制御を行う制御手段とを有し、
前記属性情報を付加するか否かの選択を前記操作手段で設定可能にしたことを特徴とする画像入出力システム。
【請求項９】
前記情報付加手段は、前記属性情報を構成するバーコードデータを、画像データにオーバーレイする形で付加することを特徴とする請求項５乃至８記載の画像入出力システム。
【請求項１０】
前記属性情報は、ユーザＩＤ、作成日時、及び前記画像入力手段から入力される画像データに対応したオリジナル画像データの保管場所情報を含み、それらの情報をバーコードデータで表したことを特徴とする請求項９に記載の画像入出力システム。
【請求項１１】
前記情報付加手段は、前記属性情報を構成するヘッダー画像データを、画像データにオーバーレイする形で付加することを特徴とする請求項８記載の画像入出力システム。
【請求項１２】
前記ヘッダー画像データは、前記画像入力手段から入力される画像データに対応したオリジナル画像データの保管場所を表すことを特徴とする請求項１１記載の画像入出力システム。
【請求項１３】
原稿から読み取った画像データを入力する画像入力手段と、画像データを出力する画像出力手段と、外部操作によって設定された画像入出力動作に関する設定情報に応じて画像入出力動作の制御を行う制御手段とを備えた画像入出力装置の制御方法であって、
前記画像入力手段によって入力された読み取り画像データから所定の属性情報を抽出し、
前記読み取り画像データから所定の属性情報が抽出された場合と抽出されない場合とに応じて、前記制御手段によって異なる制御を行うことを特徴とする画像入出力装置の制御方法。
【請求項１４】
原稿から読み取った画像データを入力する画像入力手段と、画像データを出力する画像出力手段と、外部操作によって設定された画像入出力動作に関する設定情報に応じて画像入出力動作の制御を行う制御手段とを備えた画像入出力装置の制御方法を実行するために、コンピュータで読み取り可能な制御プログラムであって、
前記画像入力手段によって入力された読み取り画像データから所定の属性情報を抽出する処理を行い、前記属性情報が抽出された場合と抽出されない場合とに応じて、前記制御手段によって異なる制御を行うステップを有することを特徴とする制御プログラム。
【発明の詳細な説明】
【０００１】
【発明の属する技術分野】
本発明は、複写機などの画像入出力装置等に関するものである。
【０００２】
【従来の技術】
従来、画像入出力システムにおいては、原稿のコピー、ホストコンピュータで作成した画像のプリント、及び原稿のファクシミリ送信を行うほか、原稿から読み取った画像データを電子メールに添付して送信することも行われている。
【０００３】
【発明が解決しようとする課題】
しかしながら、原稿を繰り返しコピーするうちに、細かい文字がつぶれてしまったり、細線が途切れてしまったりするなど、画像が劣化していくという課題があった。
【０００４】
本発明は上記従来の問題点に鑑み、原稿を繰り返しコピーしても画像劣化のない高品質なコピー画像を得ることができる画像入出力装置等を提供することを目的とする。
【０００５】
【課題を解決するための手段】
上記目的を達成するために、本発明の画像入出力装置では、原稿から読み取った画像データを入力する画像入力手段と、画像データを出力する画像出力手段と、外部操作によって設定された画像入出力動作に関する設定情報に応じて画像入出力動作の制御を行う制御手段と、前記画像入力手段によって入力された読み取り画像データから所定の属性情報を抽出する属性情報抽出手段とを有し、前記読み取り画像データから所定の属性情報が抽出された場合と抽出されない場合とに応じて、前記制御手段によって異なる制御を行うことを特徴とする。
【０００６】
本発明の画像入出力システムでは、画像データに所定の属性情報を付加する情報付加手段と、原稿から読み取った画像データを入力する画像入力手段と、外部操作によって画像入出力動作に関する設定を行うための操作手段と、前記情報付加手段によって前記属性情報が付加された画像データを含む入力画像データの印字出力を行う画像出力手段と、少なくとも前記操作手段による設定に応じて画像入出力動作の制御を行う制御手段とを有し、前記画像出力手段から印字出力される前記属性情報の出力位置を前記操作手段で設定可能にしたことを特徴とする。
【０００７】
本発明の画像入出力システムでは、画像データに属性情報を付加する情報付加手段と、原稿から読み取った画像データを入力する画像入力手段と、外部操作によって画像入出力動作に関する設定を行うための操作手段と、前記情報付加手段によって前記属性情報が付加された画像データを含む入力画像データの印字出力を行う画像出力手段と、少なくとも前記操作手段による設定に応じて画像入出力動作の制御を行う制御手段とを有し、前記属性情報を付加するか否かの選択を前記操作手段で設定可能にしたことを特徴とする。
【０００８】
本発明の画像入出力装置の制御方法では、原稿から読み取った画像データを入力する画像入力手段と、画像データを出力する画像出力手段と、外部操作によって設定された画像入出力動作に関する設定情報に応じて画像入出力動作の制御を行う制御手段とを備えた画像入出力装置の制御方法であって、前記画像入力手段によって入力された読み取り画像データから所定の属性情報を抽出し、前記読み取り画像データから所定の属性情報が抽出された場合と抽出されない場合とに応じて、前記制御手段によって異なる制御を行うことを特徴とする。
【０００９】
本発明の制御プログラムでは、原稿から読み取った画像データを入力する画像入力手段と、画像データを出力する画像出力手段と、外部操作によって設定された画像入出力動作に関する設定情報に応じて画像入出力動作の制御を行う制御手段とを備えた画像入出力装置の制御方法を実行するために、コンピュータで読み取り可能な制御プログラムであって、前記画像入力手段によって入力された読み取り画像データから所定の属性情報を抽出する処理を行い、前記属性情報が抽出された場合と抽出されない場合とに応じて、前記制御手段によって異なる制御を行うステップを有することを特徴とする。
【００１０】
【発明の実施の形態】
以下、本発明の実施の形態を図面に基づいて説明する。
【００１１】
［第一実施形態］
＜画像形成システムの全体構成＞
図１は、本発明の実施の一形態に係る画像形成システムの全体構成を示すブロック図である。
【００１２】
この画像形成システムは、複写機等で構成される画像入出力装置１００と、この画像入出力装置１００とネットワーク４００を介して接続されたホストコンピュータ（ＰＣ）４０１，４０２と、同様にネットワーク４００上に接続されたデータベースサーバ４１０とで構成されている。
【００１３】
この画像入出力装置１００は、リーダー部２００とスキャナユニット２１０とプリンタ部３００で構成されている。
【００１４】
リーダー部２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット２５０とで構成される。
【００１５】
スキャナユニット２１０は、属性情報解析部２８０を有している。属性情報解析部２８０は、読み取った画像中において予め付加された属性情報を抽出し解析する。属性情報とは、ユーザＩＤ、作成日時、及びオリジナル画像データの保管場所等の情報であり、例えばバーコードデータやＵＲＬとして画像データ上に付加されるものである。
【００１６】
プリンタ部３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３３０とで構成される。
【００１７】
コントローラ部１１０は、リーダー部２００、プリンタ部３００及び外部装置１９０と電気的に接続され、さらにネットワーク４００を介して、ＰＣ４０１，４０２及びデータベースサーバ４１０と接続されている。
【００１８】
データベースサーバ４１０では、画像入出力装置１００により読み込んだ２値画像及び多値画像をデータベースとして管理する。また、ＰＣ４０１等により属性情報を付加されたファイルもデータベースとして管理する。
【００１９】
コントローラ部１１０は、リーダー部２００を制御して、原稿の画像データを読み込み、プリンタ部３００を制御して画像データを記録用紙に出力してコピー機能を提供する。また、リーダー部２００から読み取った画像データを、コードデータに変換し、ネットワーク４００を介してＰＣ４０１，４０２へ送信するスキャナ機能や、ＰＣ４０１又は４０２からネットワーク４００を介して受信したコードデータを画像データに変換し、プリンタ部３００に出力するプリンタ機能を提供する。
【００２０】
操作部１８０は、コントローラ部１１０に接続され、液晶タッチパネルで構成され、画像入出力装置１００を操作するためのユーザＩ／Ｆを提供する。
【００２１】
＜リーダー部２００及びプリンタ部３００のハード構成＞
図２は、リーダー部２００及びプリンタ部３００のハード構成を示す概観図である。
【００２２】
リーダー部の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６及びレンズ２１７によってＣＣＤイメージセンサ（以下ＣＣＤという）２１８へ導かれる。このように、走査された原稿の画像はＣＣＤ２１８によって読み取られる。
【００２３】
２２２はリーダー画像処理回路部であり、ＣＣＤ２１８から出力される画像データに所定の処理を施し、スキャナＩ／Ｆ１４０を介してコントローラ部１１０へと出力するところである。
【００２４】
３５２はプリンタ画像処理回路部であり、プリンタＩ／Ｆ１４５を介してコントローラ部１１０から送られる画像データをレーザドライバへと出力するところである。
【００２５】
プリンタ部３００のレーザドライバ３１７はレーザ発光部３１３、３１４、３１５、３１６を駆動するものであり、プリンタ画像処理部３５２から出力された画像データに応じたレーザ光をレーザ発光部３１３〜３１６を発光させる。このレーザ光はミラー３４０〜３５１によって感光ドラム３２５〜３２８に照射され、感光ドラム３２５〜３２８にはレーザ光に応じた潜像が形成される。３２１〜３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００２６】
用紙カセット３６０、３６１及び手差しトレイ３６２のいずれかより、レーザ光の照射開始と同期したタイミングで給紙された用紙は、レジストローラ３３３を経て、転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０は排出された記録紙を束ねて記録紙の仕分けをしたり、仕分けされた記録紙のステイプルを行う。
【００２７】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２８】
＜リーダー画像処理部の構成＞
図３は、リーダー画像処理部２２２の詳細な構成を示すブロック図である。
【００２９】
このリーダー画像処理部２２２では、プラテンガラス２１１上の原稿はＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤ毎に並べたものでも構わないし、フィルタがオンチップ化又はフィルタがＣＣＤと別構成になったものでも構わない）。
【００３０】
そして、その電気信号（アナログ画像データ）は画像処理部２２２に入力され、クランプ＆Ａｍｐ．＆Ｓ／Ｈ＆Ａ／Ｄ部４０１でサンプルホールド（Ｓ／Ｈ）され、アナログ画像データのダークレベルを基準電位にクランプし、所定量に増幅され（上記処理順番は表記順とは限らない）、Ａ／Ｄ変換されて、例えばＲＧＢ各８ビットのデジタル信号に変換される。そして、ＲＧＢ信号はシェーディング部４０２で、シェーディング補正及び黒補正が施された後、コントローラ部１１０へと出力される。
【００３１】
＜コントローラ部の構成＞
図４は、コントローラ部１１０の構成を示すブロック図である。
【００３２】
メインコントローラ１１１は、主にＣＰＵ１１２と、バスコントローラ１１３、各種Ｉ／Ｆコントローラ回路とから構成される。ＣＰＵ１１２とバスコントローラ１１３はコントローラ部１１０全体の動作を制御するものであり、ＣＰＵ１１２はＲＯＭ１２０からＲＯＭ・Ｉ／Ｆ１２１を経由して読み込んだプログラムに基づいて動作する。
【００３３】
また、ＰＣから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００３４】
ＤＲＡＭ１２２は、ＤＲＡＭ・Ｉ／Ｆ１２３によってメインコントローラ１１１と接続されており、ＣＰＵ１１２が動作するためのワークエリアや、画像データを蓄積するためのエリアとして使用される。
【００３５】
調歩同期シリアル通信コントローラ１１４はリーダー部２００、プリンタ部３００の各ＣＰＵとシリアルバス１７２，１７３を介して制御コマンドを送受信し、操作部１８０のタッチパネルやキー入力の通信を行う。
【００３６】
ネットワーク・コントローラ１２５は、Ｉ／Ｆ１２７によってメインコントローラ１１１と接続され、コネクタ１２６によって外部ネットワークと接続される。ネットワークとしては一般的にイーサネット（登録商標）が挙げられる。シリアルコネクタ１２４はメインコントローラ１１１と接続されて、外部機器との通信を行う。シリアルバスとしては一般的にＵＳＢが挙げられる。ＦＡＮ１２８はメインコントローラ１１１に接続され、コントローラ部１１０を冷却するのに用いる。
【００３７】
温度監視ＩＣ１４２はシリアルバス１４３によってメインコントローラ１１１に接続されている。温度監視ＩＣ１４２はＦＡＮ１２８の制御や、リアルタイムクロックモジュール１３７の温度補正等に用いられる。
【００３８】
汎用高速バス１３０には、拡張ボードを接続するための拡張コネクタ１３５とＩ／Ｏ制御部１２６，ＨＤコントローラ１３１，コーデック１３３とが接続される。汎用高速バスとしては、一般的にＰＣＩバスが挙げられる。
【００３９】
コーデック１３３は、ＤＲＡＭ１２２に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１３４はコーデック１３３の一時的なワーク領域として使用される。ＤＲＡＭ１２２との間のデータの転送は、バスコントローラ１１３によって制御されＤＭＡ転送される。
【００４０】
ＨＤコントローラ１３１は、外部記憶装置を接続するためのものである。本実施形態においては、このＩ／Ｆを介してハードディスクドライブ１３２を接続している。ハードディスク１３２はプログラムを格納したり、画像データを記憶するのに用いている。
【００４１】
Ｉ／Ｏ制御部１２６は、データバス１４４の制御を行い、ポート１４５や割り込み１４６の制御を行う。パネルＩ／Ｆ１４１は、ＬＣＤコントローラ１４０に接続され、操作部１８０上の液晶画面に表示を行うためのＩ／Ｆと、ハードキーやタッチパネルキーの入力を行うためのキー入力Ｉ／Ｆ１７１とから構成される。
【００４２】
操作部１８０は、液晶表示部と液晶表示部上に張り付けられたタッチパネル入力装置と、複数個のハードキーを有する。タッチパネル又はハードキーにより入力された信号は前述したパネルＩ／Ｆ１７１を介してＣＰＵ１１２に伝えられ、液晶表示部は、パネルＩ／Ｆ１４１から送られてきた画像データを表示するものである。液晶表示部には、本画像形成装置の操作における機能表示や画像データ等を表示する。
【００４３】
リアルタイムクロックモジュール１３７は、機器内で管理する日付と時刻を更新／保存するためのもので、バックアップ電池１３８によってバックアップされている。ＳＲＡＭ１３９はバックアップ電池１３８でバックアップされ、ユーザモードや各種設定情報や、ハードディスクドライブ１３２のファイル管理情報等を蓄積している。
【００４４】
グラフィック・プロセッサ１５１は、ＤＲＡＭ１２２に蓄積された画像データに対して、画像回転、画像変倍、色空間変換、二値化、スキャナ画像入力、及びプリンタ画像出力の処理を行う。ＤＲＡＭ１５２はグラフィック・プロセッサ１５１の一時的なワーク領域として使用される。グラフィック・プロセッサ１５１はＩ／Ｆ１５０を介してメインコントローラ１１１と接続され、ＤＲＡＭ１２２との間のデータの転送は、バスコントローラ１１３によって制御されＤＭＡ転送される。
【００４５】
コネクタ１６０と１５５は、それぞれリーダー部２００とプリンタ部３００とに接続され、同調歩同期シリアルＩ／Ｆ（１７３，１７２）とビデオＩ／Ｆ（１６３，１６２）とから構成される。
【００４６】
スキャナ画像処理部１５７は、コネクタ１６０を介してリーダー部２００と接続され、また、スキャナバス１６１によってグラフィック・プロセッサ１５１と接続されており、リーダー部２００から受け取った画像に対して所定の処理を施す機能を有し、さらに、リーダー部２００から送られたビデオ制御信号をもとに生成した制御信号を、スキャナバス１６１に出力する機能も有する。
【００４７】
ＦＩＦＯ１５８はスキャナ画像処理部１５７と接続され、リーダー部２００から送られてくるビデオ信号のライン補正を行うのに用いられる。プリンタ画像処理部１５３は、コネクタ１５５を介してプリンタ部３００と接続され、また、プリンタバス１５６によってグラフィック・プロセッサ１５１と接続されており、グラフィック・プロセッサ１５１から出力された画像データに所定の処理を施して、プリンタ部３００へ出力する機能を有し、さらに、プリンタ部３００から送られたビデオ制御信号をもとに生成した制御信号を、プリンタバス１６２に出力する機能も有する。
【００４８】
ＤＲＡＭ１５４はプリンタ画像処理部１５３に接続され、ビデオ信号を一定時間遅延させるのに用いられる。ＤＲＡＭ１２２上に展開されたラスターイメージデータのプリンタ部３００への転送は、バスコントローラ１１３によって制御され、グラフィック・プロセッサ１５１、プリンタ画像処理部１５３、コネクタ１５５を経由して、プリンタ部３００へＤＭＡ転送される。
【００４９】
＜ＡＣＳカウント部の構成＞
図５は、ＡＣＳ（オートカラーセレクト）カウント部の構成を示すブロック図である。
【００５０】
オートカラーセレクト（以下ＡＣＳ）は、原稿がカラーなのか白黒なのかを判断する。つまり画素毎の彩度を求めてある閾値以上の画素がどれだけ存在するかでカラー判定を行うものである。しかし、白黒原稿であっても、ＭＴＦ等の影響により、ミクロ的に見るとエッジ周辺に色画素が多数存在し、単純に画素単位でＡＣＳ判定を行うのは難しい。このＡＣＳ手法は様々な方法が提供されているが、本実施形態ではＡＣＳの方法にはこだわらないため、ごく一般的な手法で説明を行う。
【００５１】
前記したように、白黒画像でもミクロ的に見ると色画素が多数存在するわけであるから、その画素が本当に色画素であるかどうかは、注目画素に対して周辺の色画素の情報で判定する必要がある。５０１はそのためのフィルタであり、注目画素に対して周辺画素を参照するためにＦＩＦＯの構造をとる。５０２はメインコントローラ１１１からセットされた５０７〜５１０のレジスタに設定された値と、リーダー部２００から送られたビデオ制御信号５１２を基に、ＡＣＳをかける領域信号５０５を作成する回路である。５０３の色判定部は、ＡＣＳをかける領域信号５０５に基づき、注目画素に対してフィルタ５０１内メモリの周辺画素を参照し、注目画素が色画素か白黒画素かを決定するための色判定部である。５０４は５０３の色判定部が出力した色判定信号の個数を数えるカウンタである。
【００５２】
メインコントローラ１１１は読み込み範囲に対してＡＣＳをかける領域を決定し、５０７〜５１０のレジスタに設定する（本実施形態では、原稿に対して独立で範囲を決める構成をとる）。また、メインコントローラ１１１はＡＣＳをかける領域内での色判定信号の個数を計数するカウンタの値を、所定の閾値と比較し、当該原稿がカラーなのか白黒なのかを判断する。
【００５３】
５０７〜５１０のレジスタには、主走査方向、副走査方向それぞれについて、色判定部５０３が判定を開始する位置、判定を終了する位置を、リーダー部２００から送られたビデオ制御信号５１２に基づいて設定しておく。本実施形態では、実際の原稿の大きさよりもそれぞれ１０ｍｍ程度小さめに設定している。
【００５４】
＜スキャナ画像処理部の構成＞
図６は、スキャナ画像処理部１５７を担う部分の詳細な構成を示すブロック図である。
【００５５】
リーダー部２００からコネクタ１６０を介して送られる画像データに対して、つなぎ＆ＭＴＦ補正部６０１で読取速度に応じてライン毎の遅延量を調整し、読取速度によって変化したＭＴＦを補正する。ＣＣＤ２１８が３ラインＣＣＤの場合、つなぎ処理は３ラインの読取位置が同じになるように信号タイミングを補正する。ＦＩＦＯ１５８はライン遅延のバッファとして用いる。
【００５６】
読取位置タイミングが補正されたデジタル信号は入力マスキング部６０２によって、ＣＣＤ２１８の分光特性及びランプ２１２及びミラー２１４、２１５、２１６の分光特性を補正する。入力マスキング部６０２の出力はＡＣＳカウント部４０５及びグラフィック・プロセッサ１５１へと送られる。
【００５７】
＜プリンタ画像処理部の構成＞
図７は、プリンタ画像処理部１５３の詳細な構成を示すブロック図である。
【００５８】
グラフィック・プロセッサ１５１から、プリンタバス１５６を介して送られる画像データは、まずＬＯＧ変換部７０１に入力される。ＬＯＧ変換部７０１では、ＬＯＧ変換でＲＧＢ信号からＣＭＹ信号に変換する。
【００５９】
次にモアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理部でプリンタ部３００の出力にあった信号に補正される。ＵＣＲ＆マスキング部７０３で処理された信号は補正部７０４で濃度調整された後フィルタ部７０５でスムージング又はエッジ処理される。
【００６０】
出力切り替え７０６で、感光ドラム３２５〜３２８のドラム間の距離を補正するためにＤＲＡＭ１５４にＣＭＹＫ画像毎に一旦画像を蓄積し、ドラム間の距離を補正した画像をコネクタ１５５を介してプリンタ部３００へと送る。
【００６１】
＜グラフィック・プロセッサの構成＞
図８は、グラフィック・プロセッサ１５１の詳細な構成を示すブロック図である。
【００６２】
グラフィック・プロセッサ１５１は、画像回転、画像変倍、色空間変換、二値化、スキャナ画像入力、及びプリンタ画像出力の処理をそれぞれ行うモジュールを有する。ＤＲＡＭ１５２はＤＲＡＭコントローラ８０８を介して各々のモジュールの一時的なワーク領域として使用される。
【００６３】
各々のモジュールが用いるＤＲＡＭ１５２のワーク領域が競合しないよう、予め各々のモジュール毎にワーク領域が静的に割り当てを行う。グラフィック・プロセッサ１５１はＩ／Ｆ１５０を介してメインコントローラ１１１と接続され、ＤＲＡＭ１２２との間のデータの転送は、バスコントローラ１１３によって制御されＤＭＡ転送される。
【００６４】
バスコントローラ１１３は、グラフィックプロセッサ１５１の各々のモジュールにモード等を設定する制御、及び各々のモジュールに画像データを転送するためのタイミング制御を行う。
【００６５】
入力インターフェース８１０は、Ｉ／Ｆ１５０から入力された画像データをクロスバースイッチ８０９に入力する。画像データ形式は２値ラスターイメージデータ、多値ラスターイメージデータ、ＪＰＥＧ等を扱い、ＪＰＥＧ画像の場合は入力インターフェース８１０にてラスターイメージデータに変換してクロスバースイッチ８０９にデータ出力する。
【００６６】
出力インターフェース８１１はクロスバースイッチ８０９から入力された画像データをＩ／Ｆ１５０に出力する。クロスバースイッチ８０９から入力される画像データ形式はラスターイメージデータであるが、出力インターフェース８１１でＪＰＥＧ圧縮を行ってＩ／Ｆ１５０にデータ出力することも行う。
【００６７】
＜画像回転部の処理＞
次に、画像回転部８０１における処理手順を説明する。
【００６８】
Ｉ／Ｆ１５０を介して、ＣＰＵ１１２からバスコントローラ１１３に画像回転制御のための設定を行う。この設定によりバスコントローラ１１３は画像回転部８０１に対して画像回転に必要な設定（例えば画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。なお、ここでは回転を行う画像サイズを３２画素  ３２ラインとし、また、画像バス２００８上に画像データを転送させる際に２４ｂｙｔｅ（ＲＧＢ各々８ｂｉｔで１画素分）を単位とする画像転送を行うものとする。
【００６９】
上述のように、３２画素３２ラインの画像を得るためには、上述の単位データ転送を３２３２回行う必要があり、且つ不連続なアドレスから画像データを転送する必要がある。
【００７０】
不連続アドレッシングにより転送された画像データは、読み出し時に所望の角度に回転されているように、ＳＲＡＭ１３６に書き込まれる。例えば、９０度反時計方向回転であれば、転送される画像データをＹ方向に書き込んでいく。読み出し時にＸ方向に読み出すことで、画像が回転される。
【００７１】
３２画素３２ラインの画像回転（ＤＲＡＭ１５２への書き込み）が完了した後、画像回転部８０１はＤＲＡＭ１５２から上述した読み出し方法で画像データを読み出し、バスコントローラ１１３に画像を転送する。
【００７２】
回転処理された画像データを受け取ったバスコントローラ１１３は、連続アドレッシングを以て、ＤＲＡＭ１２２もしくはＩ／Ｆ上の各デバイスにデータを転送する。
【００７３】
こうした一連の処理は、ＣＰＵ１１２からの処理要求が無くなるまで（必要なページ数の処理が終わったとき）繰り返される。
【００７４】
＜画像変倍部の処理＞
次に、画像変倍部８０２における処理手順を説明する。
【００７５】
Ｉ／Ｆ１５０を介して、ＣＰＵ１１２からバスコントローラ１１３に画像変倍制御のための設定を行う。この設定によりバスコントローラ１１３は画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００７６】
画像変倍部８０２は、受け取った画像データを一時ＤＲＡＭ１５２に格納し、これを入力バッファとして用いて、格納したデータに対して主走査、副走査の変倍率に応じて必要な画素数、ライン数の分の補間処理を行って画像を拡大もしくは縮小することで、変倍処理とする。変倍後のデータは再度ＤＲＡＭ１５２へ書き戻し、これを出力バッファとして画像変倍部８０２はＤＲＡＭ１５２から画像データを読み出し、バスコントローラ１１３に転送する。
【００７７】
変倍処理された画像データを受け取ったバスコントローラ１１３は、ＤＲＡＭ１２２もしくはＩ／Ｆ上の各デバイスにデータを転送する。
【００７８】
＜色空間変換部の処理＞
次に、色空間変換部８０３における処理手順を説明する。
【００７９】
Ｉ／Ｆ１５０を介して、ＣＰＵ１１２からバスコントローラ１１３に色空間変換制御のための設定を行う。この設定によりバスコントローラ１１３は色空間変換部８０３及びＬＵＴ（ルック・アップ・テーブル）８０４に対して色空間変換処理に必要な設定（後述のマトリックス演算の係数、ＬＵＴ８０４のテーブル値等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００８０】
色空間変換部８０３は、受け取った画像データ１画素毎に対して、所定のマトリックス演算を施す。次にマトリックス演算後のデータに対して、ＬＵＴ８０４による変換を行う。これによって、非線形の変換をも行うことができる。当然、スルーのテーブルを設定することにより、実質的にＬＵＴ変換を行わないこともできる。
【００８１】
その後、色空間変換部８０３は色空間変換処理された画像データをバスコントローラ１１３に転送する。色空間変換処理された画像データを受け取ったバスコントローラ１１３は、ＤＲＡＭ１２２もしくはＩ／Ｆ上の各デバイスにデータを転送する。
【００８２】
＜画像二値化部の処理＞
次に、画像二値化部８０５における処理手順を説明する。
【００８３】
Ｉ／Ｆ１５０を介して、ＣＰＵ１１２からバスコントローラ１１３に二値化制御のための設定を行う。この設定によりバスコントローラ１１３は画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００８４】
画像二値化部８０５は、受け取った画像データに対して二値化処理を施す。本実施形態では、二値化の手法としては、画像データを所定の閾値と比較して単純に二値化するものとする。もちろん、ディザ法、誤差拡散法、誤差拡散法を改良したものなど、いずれの手法によっても構わない。
【００８５】
その後、画像二値化部８０５は二値化処理された画像データをバスコントローラ１１３に転送する。
【００８６】
二値化処理された画像データを受け取ったバスコントローラ１１３は、ＤＲＡＭ１２２もしくはＩ／Ｆ上の各デバイスにデータを転送する。
【００８７】
＜スキャナ入力部の処理＞
次に、スキャナ入力部８０６における処理手順を説明する。
【００８８】
Ｉ／Ｆ１５０を介して、ＣＰＵ１１２からバスコントローラ１１３にスキャナ入力制御のための設定を行う。この設定によりバスコントローラ１１３はスキャナ入力部８０６に対して必要な設定（入力処理に応じた各種パラメータ等）を行う。必要な設定を行った後に、再度ＣＰＵ１１２からバスコントローラ１１３に対して画像データ転送の許可を行う。
【００８９】
その後、スキャナ画像処理部１５７から入力される同期信号に同期して画像データがスキャナ入力部８０６に入力される。スキャナ入力部８０６は受け取った画像データを入力バッファとして一旦ＤＲＡＭ１５２に格納する。その後スキャナ入力部はＤＲＡＭ１５２に格納した画像をバスコントローラ１１３に転送する。スキャナ入力画像データを受け取ったバスコントローラ１１３は、ＤＲＡＭ１２２もしくはＩ／Ｆ上の各デバイスにデータを転送する。
【００９０】
＜プリンタ出力部の処理＞
次に、プリンタ出力部８０７における処理手順を説明する。
【００９１】
Ｉ／Ｆ１５０を介して、ＣＰＵ１１２からバスコントローラ１１３にプリンタ出力制御のための設定を行う。この設定によりバスコントローラ１１３はプリンタ出力部８０７に対して必要な設定（出力処理に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００９２】
プリンタ出力部８０７は受け取った画像データを一旦ＤＲＡＭ１５２に格納する。その後プリンタ画像処理部１５３から入力される同期信号に応じてＤＲＡＭ１５２に格納した画像をプリンタ画像処理部１５３に出力する。
【００９３】
＜操作部概要＞
図９は、操作部１８０の構成を概観図である。
【００９４】
ＬＣＤ表示部３００１は、ＬＣＤ上にタッチパネルシートが貼られており、システムの操作画面を表示するとともに、表示してあるキーが押されるとその位置情報をコントローラＣＰＵ１１２に伝える。スタートキー３００２は原稿画像の読み取り動作を開始する時などに用いる。スタートキー中央部には、緑と赤の２色ＬＥＤがあり、その色によってスタートキーが使える状態にあるかどうかを示す。ストップキー３００３は稼働中の動作を止める働きをする。ＩＤキー３００４は使用者のユーザＩＤを入力するときに用いる。リセットキー３００５は操作部１８０からの設定を初期化するときに用いる。
【００９５】
＜ＰＤＬ画像出力時のシーケンス＞
図１０は、本実施形態におけるＰＤＬ画像出力の手順を示すフローチャートである。
【００９６】
ＰＤＬ画像を出力する場合、ステップＳ５００１において、ＰＣ４１０上でユーザが当該ＰＤＬ画像出力ジョブのプリント設定を行う。プリント設定内容は、部数、用紙サイズ、片面／両面、ページ出力順序、ソート出力、及びステイプル止めの有無等である。その際の設定画面の例を図１１に示す。プリント時にユーザＩＤや、日時、保管場所などの属性情報を付加する設定を行うためには、プリント設定の際に、「属性情報を付加」という窓（図１１中のＺ１）をチェックしておく。
【００９７】
ステップＳ５００２では、ＰＣ４１０上で印刷指示を与え、それと共にＰＣ４１０上にインストールされているドライバソフトウェアが、印刷対象となるＰＣ４１０上のコードデータをいわゆるＰＤＬデータに変換して、ステップＳ５００１で設定したプリント設定パラメータ及び属性情報とともに、本画像入出力装置１００のコントローラ部１１０に、ネットワーク４００を介してＰＤＬデータを転送する。
【００９８】
ステップＳ５００３では、コントローラ部１１０のメインコントローラ１１１のＣＰＵ１１２が、コネクタ１２６及びネットワークコントローラ１２５を介して転送されたＰＤＬデータを、前記プリント設定パラメータに基づいて画像データに展開（ラスタライズ）する。画像データの展開は、ＤＲＡＭ１２２上に行われる。この際、「属性情報を付加」が選択されている場合、そのオリジナル画像データに応じた属性情報を表すバーコードデータがオリジナル画像データにオーバーレイした形で生成される。また「属性情報を付加」が選択されていない場合は、バーコードデータは生成されない。画像データの展開が終了するとステップＳ５００４へ進む。
【００９９】
ステップＳ５００４では、メインコントローラ１１１がＤＲＡＭ１２２上に展開された画像データをグラフィックプロセッサ１５１に転送する。
【０１００】
ステップＳ５００５では、グラフィックプロセッサ１５１が、前記プリント設定パラメータとは独立に画像処理を行う。例えば、前記プリント設定パラメータで指定された用紙サイズがＡ４であるにもかかわらず、プリンタ部３００の給紙ユニット３１０にはＡ４Ｒ用紙しかない場合には、グラフィックプロセッサ１５１で画像を９０度回転することによって、出力用紙に合わせた画像出力を行うことができる。画像データの画像処理が完了するとステップＳ５００６へ進む。
【０１０１】
ステップＳ５００６では、グラフィックプロセッサ１５１がメインコントローラ１１１へ画像処理後の画像データを転送する。メインコントローラ１１１は転送されてきた画像データをＤＲＡＭ１２２上に記憶する。
【０１０２】
ステップＳ５００７では、メインコントローラ１１１はグラフィックプロセッサ１５１、プリンタ画像処理部１５３及びコネクタ１５５を介して、プリンタ部３００を制御しつつ、適切なタイミングでＤＲＡＭ１２２上の画像データをプリンタ部３００へと転送する。
【０１０３】
ステップＳ５００８では、コントローラ部１１０が、プリンタ部３００を制御して画像データをプリント出力する。画像データの転送が完了すると、すなわち当該ＰＤＬジョブが終了すると、プリント出力を終了する。
【０１０４】
図１２（ａ）に示すようなオリジナル画像をプリントした場合のプリント画像は、「属性情報を付加」が選択されていない場合は、図１２（ｂ）に示すようなバーコードの付かない画像となる。また、「属性情報を付加」が選択されている場合は、図１２（ｃ）のＢ１に示すようなバーコードの付いた画像となる。
【０１０５】
本実施形態では、上記ステップＳ５００１におけるプリント設定において、設定画面の一例を図１１に示すもので説明したが、その他の設定画面の例を図１３を用いて説明する。
【０１０６】
プリント時にユーザＩＤや、日時、保管場所などの属性情報を付加し、その表示位置を指定する設定を行うためには、プリント設定の際に「属性情報」というプルダウンメニューＺ２から属性情報の表示位置を選択しておく。図１３では、属性情報をオーバーレイ表示する設定が選択されているが、その他の選択例には、「属性情報のみをプリントした表紙を付加する」や、「属性情報を裏面にプリントする」などがある。
【０１０７】
そして、ステップＳ５００３においては、ＰＤＬデータを画像データに展開（ラスタライズ）するが、この際、属性情報の表示位置として「オーバーレイ表示」が選択されている場合、そのオリジナル画像データに応じた属性情報を表すバーコードデータがオリジナル画像データにオーバーレイした形で生成され、図１４（ａ）に示すようなオリジナル画像をプリントした場合のプリント画像は、図１４（ｂ）に示すようなバーコードの付いた画像となる。
【０１０８】
その他の例として、属性情報の表示位置として「属性情報のみをプリントした表紙を付加する」が選択されている場合、そのオリジナル画像データに応じた属性情報を表すバーコードデータのみが１ページ分生成され、オリジナル画像データの先頭ページに付加される（図１４（ｃ）参照）。また、「属性情報を裏面にプリントする」が選択されている場合、そのオリジナル画像データに応じた属性情報を表すバーコードデータが裏面用に生成され、オリジナル画像データの裏面に付加される（図１４（ｄ）参照）。
【０１０９】
＜コピー画像出力時のシーケンス＞
図１５は、本実施形態におけるコピー画像出力の手順を示すフローチャートである。
【０１１０】
コピー画像を出力する場合、ステップＳ６００１では、操作部１８０上でユーザが当該コピー画像出力ジョブのコピー設定を行う。コピー設定内容は、部数、用紙サイズ、片面／両面、拡大／縮小率、ソート出力、及びステイプル止めの有無等である。
【０１１１】
ステップＳ６００２では、操作部１８０上でコピー開始指示を与えると、コントローラ部１１０のメインコントローラ１１１は、コネクタ１６０を介してリーダー部２００を制御し、原稿の画像データの読み込み動作を行う。まず、原稿給送ユニット２５０は、載置された原稿を１枚ずつプラテンガラス２１１上へ給送する。その際、同時に原稿のサイズを検知する。検知された原稿のサイズに基づいて原稿を露光走査することにより、画像データを読み取るわけである。読み取られた画像データは、グラフィックプロセッサ１５１で指定された画像形式で圧縮をしてＤＲＡＭ１２２上に記憶される。本実施形態では、前記コピー設定の拡大／縮小率の設定にかかわらず、必ず等倍（１００％）で画像データを読み取り、変倍処理については、主走査方向、副走査方向ともに、グラフィックプロセッサ１５１によって行うものとする。
【０１１２】
ステップＳ６００３では、メインコントローラ１１１が画像データに付加されているバーコードデータより属性情報を抽出する。これにより、ユーザＩＤや、作成日時、オリジナルファイルの保管場所などといった情報が検出される。
【０１１３】
属性情報からオリジナル画像の保管場所が検知されなかった場合は（ステップＳ６００４）、ステップＳ６００５へ移行する。ステップＳ６００５では、メインコントローラ１１１がＤＲＡＭ１２２上の画像データをグラフィックプロセッサ１５１に転送する。
【０１１４】
ステップＳ６００６では、グラフィックプロセッサ１５１が前記コピー設定パラメータに基づいて画像処理を行う。例えば、拡大４００％の設定がなされているときには、グラフィックプロセッサ１５１内のモジュールである画像変倍部８０２を用いて主走査方向と副走査方向の双方への変倍処理を行う。画像データの画像処理が完了するとステップＳ６００７へ進む。
【０１１５】
ステップＳ６００７では、グラフィックプロセッサ１５１がメインコントローラ１１１へ画像処理後の画像データを指定された画像形式で圧縮を行って転送する。メインコントローラ１１１は転送されてきた画像データをＤＲＡＭ１２２上に記憶する。
【０１１６】
ステップＳ６００８では、メインコントローラ１１１はＤＲＡＭ１２２上に記憶された画像データを、指定されたファイル形式でファイル化する。そして、ファイル化された画像データは、ＨＤコントローラ１３１を経由してＨＤドライブ１３２に転送し、読み込んだ画像データをＨＤドライブ１３２に格納する。
【０１１７】
これらの動作はＤＦユニット２５０に原稿が存在する限り繰り返し行われる。
【０１１８】
ステップＳ６００９では、画像データをプリンタ部３００へと転送する。この時、プリントを行う画像データファイルがＤＲＡＭ１２２上に存在しない場合はＨＤドライブ１３２から画像ファイルを読み込み、ＤＲＡＭ１２２に格納する。メインコントローラ１１１はグラフィックプロセッサ１５１、プリンタ画像処理部１５３及びコネクタ１５５を介して、プリンタ部３００を制御しつつ、適切なタイミングでＤＲＡＭ１２２上の画像データを、プリンタ部３００へと転送する。
【０１１９】
ステップＳ６０１０では、コントローラ部１１０がプリンタ部３００を制御して画像データをプリント出力する。
【０１２０】
全ての画像データの転送が完了すると、すなわち当該コピージョブが終了すると、プリント出力を終了する。
【０１２１】
次にステップＳ６００４で、属性情報からオリジナル画像の保管場所が検知された場合は、ステップＳ６０１１へ移行する。ステップＳ６０１１では、ステップＳ６００４で検知された保管場所にアクセスし、オリジナル画像ファイルのピックアップを行う。その際、ステップＳ６００１での設定内容に基づいて当該ＰＣ４１０上のＰＤＬ画像出力のプリント設定を行う。
【０１２２】
ステップＳ６０１２では、ＰＣ４０１上で印刷指示を与え、それと共に当該ＰＣ４０１上にインストールされているドライバソフトウェアが、印刷対象となる当該ＰＣ４０１上のコードデータをいわゆるＰＤＬデータに変換して、ステップＳ６００１で設定したプリント設定パラメータとともに、本画像入出力装置１００のコントローラ部１１０へ、ネットワーク４００を介してＰＤＬデータを転送する。
【０１２３】
ステップＳ６０１３では、コントローラ部１１０のメインコントローラ１１１のＣＰＵ１１２が、コネクタ１２６及びネットワークコントローラ１２５を介して転送されたＰＤＬデータを、前記プリント設定パラメータに基づいて画像データに展開（ラスタライズ）する。画像データの展開は、ＤＲＡＭ１２２上に行われる。画像データの展開が完了するとステップＳ６０１４へ進む。この際、「属性情報を付加」が選択されている場合、そのオリジナル画像データに応じた属性情報を表すバーコードデータがオリジナル画像データにオーバーレイした形で生成される。また「属性情報を付加」が選択されていない場合は、バーコードデータは生成されない。
【０１２４】
ステップＳ６０１４では、メインコントローラ１１１がＤＲＡＭ１２２上に展開された画像データをグラフィックプロセッサ１５１に転送する。
【０１２５】
ステップＳ６０１５では、グラフィックプロセッサ１５１が、前記プリント設定パラメータとは独立に画像処理を行う。例えば、前記プリント設定パラメータで指定された用紙サイズがＡ４であるにもかかわらず、プリンタ部３００の給紙ユニット３１０にはＡ４Ｒ用紙しかない場合には、グラフィックプロセッサ１５１で画像を９０度回転することによって、出力用紙に合わせた出力を行うことができる。画像データの画像処理が完了するとステップＳ６０１６へ進む。
【０１２６】
ステップＳ６０１６では、グラフィックプロセッサ１５１がメインコントローラ１１１へ画像処理後の画像データを転送する。メインコントローラ１１１は転送されてきた画像データをＤＲＡＭ１２２上に記憶する。
【０１２７】
ステップＳ６０１７では、メインコントローラ１１１は、グラフィックプロセッサ１５１、プリンタ画像処理部１５３及びコネクタ１５５を介して、プリンタ部３００を制御しつつ、適切なタイミングでＤＲＡＭ１２２上の画像データをプリンタ部３００へと転送して、ステップＳ６０１０へ進む。
【０１２８】
ステップＳ６０１０では、コントローラ部１１０が、プリンタ部３００を制御して画像データをプリント出力する。全ての画像データの転送が完了すると、すなわち当該コピージョブが終了すると、プリント出力を終了する。
【０１２９】
＜スキャン送信時のシーケンス＞
図１６は、本実施形態におけるスキャン送信の手順を示すフローチャートである。本実施形態では多値画像データを送信するとして説明する。
【０１３０】
スキャン送信を行う場合、ステップＳ７００１では、操作部１８０上でユーザが当該スキャンジョブのコピー設定を行う。スキャン設定内容は、送信アドレス、カラー／白黒読み込み、読み込み解像度、及び片面／両面等である。
【０１３１】
ステップＳ７００２では、操作部１８０上でスキャン開始指示を与えると、コントローラ部１１０のメインコントローラ１１１はコネクタ１６０を介してリーダー部２００を制御し、原稿の画像データの読み込み動作を行う。まず、原稿給送ユニット２５０は、載置された原稿を１枚ずつプラテンガラス２１１上へ給送する。その際、同時に原稿のサイズを検知する。検知された原稿のサイズに基づいて原稿を露光走査することにより、画像データを読み取るわけである。読み取られた画像データはグラフィックプロセッサ１５１で指定された画像形式で圧縮をしてＤＲＡＭ１２２上に記憶される。本実施形態では、前記スキャン設定の解像度の設定にかかわらず、必ず６００ｄｐｉで画像データを読み取り、解像度変換については、主走査方向、副走査方向ともに、グラフィックプロセッサ１５１によって行うものとする。
【０１３２】
ステップＳ７００３では、メインコントローラ１１１がＤＲＡＭ１２２上の画像データをグラフィックプロセッサ１５１に転送し、前記スキャン設定パラメータに基づいて画像回転・解像度変換・色空間変換の画像処理を行う。グラフィックプロセッサ１５１がメインコントローラ１１１へ画像処理後の画像データを転送し、メインコントローラ１１１は転送されてきた画像データをＤＲＡＭ１２２上に記憶する。
【０１３３】
ステップＳ７００４では、スキャン送信時の宛先が電子メールかどうかを確認し、電子メールでなければステップＳ７００５で画像データをファイル化する。メインコントローラ１１１はＤＲＡＭ１２２上に記憶された画像データを指定されたファイル形式でファイル化する。そして、ファイル化された画像データは、ＨＤコントローラ１３１を経由してＨＤドライブ１３２に転送することで、読み込んだ画像データをＨＤドライブ１３２に格納する。
【０１３４】
ステップＳ７００６では、メインコントローラ１１１は、例えば送信アドレスがＥ−ｍａｉｌであると電子メールサーバ（図示省略）、データベースであるとデータベースサーバ４１０にネットワークコントローラ１２５とローカルエリアネットワーク４００を介して送信する。また、送信アドレスがプリンタ部３００に設定されている場合はグラフィックプロセッサ１５１、プリンタ画像処理部１５３及びコネクタ１５５を介して、プリンタ部３００を制御しつつ、適切なタイミングでＤＲＡＭ１２２上の画像データをプリンタ部３００へと転送する。
【０１３５】
ステップＳ７００４で電子メール送信を行う場合は、ステップＳ７００７でＤＲＡＭ１２２上の画像データサイズと操作部１８０からユーザモードで設定された上限値とを比較する。画像データサイズが上限値以下の場合はステップＳ７００５に移行し、そのまま画像データの送信を行う。画像データサイズが上限値を超えている場合は、ステップＳ７００８でＤＲＡＭ１２２上の画像データをグラフィックプロセッサ１５１に転送し、画像変倍部８０２で画像データサイズに応じて解像度を下げる。例えば、画像データサイズが上限値を大きく超えている場合は解像度を低く設定し、画像データサイズが上限値を僅かに超えている場合は解像度を若干下げるように画像変倍部８０２の設定をする。
【０１３６】
ステップＳ７００９で、出力インターフェース８１１の圧縮率の設定をステップＳ７００２の設定よりも高くなるように設定し、解像度・圧縮率を変更した画像データをＤＲＡＭ１２２上に記憶する。ＤＲＡＭ１２２に再度記憶された画像データのサイズをステップＳ７００７で上限値と比較し、上限値よりも大きい場合は再度ステップＳ７００８、ステップＳ７００９を繰り返す。
【０１３７】
画像データの送信が完了すると、すなわち当該送信が終了すると、スキャン送信を終了する。
【０１３８】
＜本画像入出力装置１００を利用したワークフロー＞
図１７は、本画像入出力装置１００を利用したワークフローの例を説明する図である。
【０１３９】
図中のＴ１においては、先ず、ＰＣ４０１でオリジナル画像データを作成し、ユーザＩＤや、日時、保管場所などの属性情報を付加し、プリント設定を行う。また、オリジナル画像データは、属性情報に合わせてＰＣ４０１上に保管される。
【０１４０】
Ｔ２では、オリジナル画像データに属性情報をバーコードとして付加した画像がＴ１で設定された通り、プリントされる。
【０１４１】
Ｔ３では、属性情報を付加した原稿をセットし、必要な設定を行い、コピーを行う。
【０１４２】
Ｔ４では、読み込んだ原稿のバーコードから属性情報を抽出し、オリジナルファイルをＰＣ４０１よりピックアップする。
【０１４３】
Ｔ５では、オリジナル画像データをＴ３で設定した通り、プリントする。
【０１４４】
上記の例では、属性情報をバーコードとして付加するものとして説明したが（図１２（ｃ）参照）、バーコードではなく、例えば、図１８に示すように、ユーザが目で見て分かるような保管場所の表示を付加するようにしても良い。この例では、「￥￥ＡＢＣ￥ｆｆｍｃ−ｄａｔａ￥新製品情報￥ｘｘｘｘ．ｐｄｆ」というファイルであることが判る。
【０１４５】
また、上記の例では、オリジナル画像データをＰＣ４０１上に保管するとして説明したが、ＰＣ４０１上ではなく、本画像入出力装置１００とネットワーク接続されたサーバ４１０上に保管するように構成しても良い。その場合、属性情報のオリジナル画像データの保管場所には、サーバ４１０を指定しておき、サーバ４１０からオリジナルファイルをピックアップするようにする。また、サーバ４１０ではなく、本画像入出力装置１００内のＨＤ１３２にオリジナル画像データを保管するように構成しても良い。その場合も、属性情報のオリジナル画像データの保管場所には、本画像入出力装置１００内のＨＤ１３２を指定しておき、本画像入出力装置１００内のＨＤ１３２からオリジナルファイルをピックアップするようにする。
【０１４６】
このように本実施形態では、原稿に付加された属性情報を読み取り、その属性情報からオリジナルの画像を探し出しプリントするので、何度繰り返しコピーしても、画像劣化することなく、きれいなコピー画像を得ることができる。また、白黒でプリントされた原稿でもオリジナルの画像がカラー原稿だった場合、原稿に付加された属性情報からオリジナルの画像を探し出しプリントするので、画像劣化のないカラーのコピー画像を得ることができる。
【０１４７】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（又はＣＰＵやＭＰＵ）が記憶媒体に格納されたプログラムコードを読み出し実行することによっても、完成されることは言うまでもない。
【０１４８】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【０１４９】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【０１５０】
【発明の効果】
以上説明したように、本発明によれば、原稿を繰り返し読み取っても、常に画像劣化のない出力画像を得ることが可能になる。
【図面の簡単な説明】
【図１】本発明の実施形態に係る画像形成システムの全体構成を示すブロック図である。
【図２】リーダー部２００及びプリンタ部３００のハード構成を示す概観図である。
【図３】リーダー画像処理部２２２の詳細な構成を示すブロック図である。
【図４】コントローラ部１１０の構成を示すブロック図である。
【図５】ＡＣＳ（オートカラーセレクト）カウント部の構成を示すブロック図である。
【図６】スキャナ画像処理部１５７を担う部分の詳細な構成を示すブロック図である。
【図７】プリンタ画像処理部１５３の詳細な構成を示すブロック図である。
【図８】グラフィック・プロセッサ１５１の詳細な構成を示すブロック図である。
【図９】操作部１８０の構成を概観図である。
【図１０】実施形態におけるＰＤＬ画像出力の手順を示すフローチャートである。
【図１１】プリント設定画面の例を示す図である。
【図１２】プリント画像の例を示す図である。
【図１３】他のプリント設定画面の例を示す図である。
【図１４】他のプリント画像の例を示す図である。
【図１５】実施形態におけるコピー画像出力の手順を示すフローチャートである。
【図１６】実施形態におけるスキャン送信の手順を示すフローチャートである。
【図１７】画像入出力装置１００を利用したワークフローの例を説明する図である。
【図１８】プリント画像の例を示す図である。
【符号の説明】
１００  画像入出力装置
２００  リーダー部
２１０  スキャナユニット
２５０  原稿給紙ユニット
２８０  属性情報解析部
３００  プリンタ部
４０１，４０２  ホストコンピュータ（ＰＣ）
４１０  データベースサーバ
【図１】
2004153567.tif 000003
【図２】
2004153567.tif 000004
【図３】
2004153567.tif 000005
【図４】
2004153567.tif 000006
【図５】
2004153567.tif 000007
【図６】
2004153567.tif 000008
【図７】
2004153567.tif 000009
【図８】
2004153567.tif 000010
【図９】
2004153567.tif 000011
【図１０】
2004153567.tif 000012
【図１１】
2004153567.tif 000013
【図１２】
2004153567.tif 000014
【図１３】
2004153567.tif 000015
【図１４】
2004153567.tif 000016
【図１５】
2004153567.tif 000017
【図１６】
2004153567.tif 000018
【図１７】
2004153567.tif 000019
【図１８】
2004153567.tif 000020